(57)【要約】【課題】１台のアラーム時計にアラーム時刻を設定するだけで、他のアラーム時計のアラーム時刻を設定することができるアラーム時計、及びアラーム時計連動システムを提供する。【解決手段】マスタのアラーム時計１Ａは、アラーム時刻とアラーム設定情報とが入力されると、アラーム設定情報に対応する符号を取得する。この符号は、アラーム音を変調するためのものである。アラーム時計１Ａは、アラーム時刻になると、符号によりアラーム音を変調して放音する。スレーブのアラーム時計１Ｂは、収音したアラーム音を復号して符号を取得し、符号に対応するアラーム設定情報を取得する。アラーム時計１Ｂは、現在時刻とアラーム設定情報とに基づいて、アラーム時刻を算出する。アラーム時計１Ｂは、アラーム設定情報に対応する符号を取得する。アラーム時計１Ｂは、算出したアラーム時刻になると、符号によりアラーム音を変調して放音する。【選択図】図１
2009288126.tif 000002
【特許請求の範囲】
【請求項１】
アラーム音を収音する収音手段と、
前記収音手段が収音したアラーム音に重畳されている時刻設定情報を取得する取得手段と、
前記取得手段が取得した時刻設定情報に基づいて、アラーム時刻を設定する設定手段と、
前記取得手段が取得した時刻設定情報に基づいて、新たに時刻設定情報を生成する生成手段と、
前記生成手段が生成した時刻設定情報をアラーム音に重畳して放音する放音手段と、を備えたアラーム時計。
【請求項２】
前記時刻設定情報は、時刻を設定するための基準となる基準時刻を含み、
前記設定手段は、前記取得手段が取得した時刻設定情報に含まれる基準時刻に基づいて、時刻を設定する請求項１に記載のアラーム時計。
【請求項３】
前記収音手段が収音したアラーム音が自装置宛てのアラーム音であるかを判断する判断手段を、更に備え、
前記設定手段は、前記判断手段が自装置宛てのアラーム音であると判断すると、アラーム時刻を設定する請求項１又は請求項２に記載のアラーム時計。
【請求項４】
ユーザの操作入力を受け付ける入力手段を、更に設け、
前記生成手段は、前記入力手段が入力を受け付けた操作入力に応じた情報を含めて時刻設定情報を生成する請求項１〜請求項３のいずれかに記載のアラーム時計。
【請求項５】
マスタのアラーム時計と、請求項１〜請求項４のいずれかに記載のアラーム時計と、を備えたアラーム時計連動システムであって、
前記マスタのアラーム時計は、
ユーザの操作入力を受け付けるマスタ側入力手段と、
前記マスタ側入力手段が入力を受け付けた操作入力に応じた情報に基づいて、時刻設定情報を生成するマスタ側生成手段と、
前記マスタ側生成手段が生成した時刻設定情報をアラーム音に重畳して放音するマスタ側放音手段と、を備えたアラーム時計連動システム。
【発明の詳細な説明】
【技術分野】
【０００１】
この発明は、他のアラーム時計のアラーム音に応じて、アラーム音を放音するアラーム時計、及びアラーム時計連動システムに関する。
【背景技術】
【０００２】
従来、二度寝を防止するために、複数の目覚まし時計を用いたり、二度寝防止用の目覚まし時計を用いたりしている。この二度寝防止用の目覚まし時計は、各種提案されている（例えば、特許文献１参照。）。
【０００３】
特許文献１のリモコン送信機能付目覚まし時計では、所定時間アラーム音が放音されると、アラーム音を停止させて、テレビをつけてボリュームを所定回数（例えば、２，３回）上げて放音させる。
【特許文献１】特開２００８−７６０６２号公報
【発明の開示】
【発明が解決しようとする課題】
【０００４】
しかしながら、複数の目覚まし時計を用いる場合、ユーザは、複数の目覚まし時計にアラーム時刻を設定する必要がある。また、設定したアラーム時刻より前に起きてしまうと、ユーザは、複数の目覚まし時計のアラーム時刻を解除しなければならない。
【０００５】
また、特許文献１のリモコン送信機能付目覚まし時計では、アラーム音が停止した後、テレビをつけるだけなので、寝ぼけたユーザがテレビを消してしまうと、テレビの音が消えてしまう。
【０００６】
そこで、本発明は、１度の設定で、複数のアラーム時計のアラーム時刻を容易に設定することができるとともに、複数のアラーム時計からアラーム音を放音することで、スヌーズ機能を実現することができるアラーム時計、及びアラーム時計連動システムを提供することを目的とする。
【課題を解決するための手段】
【０００７】
この発明のアラーム音を収音する収音手段と、前記収音手段が収音したアラーム音に重畳されている時刻設定情報を取得する取得手段と、前記取得手段が取得した時刻設定情報に基づいて、アラーム時刻を設定する設定手段と、前記取得手段が取得した時刻設定情報に基づいて、新たに時刻設定情報を生成する生成手段と、前記生成手段が生成した時刻設定情報をアラーム音に重畳して放音する放音手段と、を備えたことを特徴とする。
【０００８】
この構成では、アラーム時計は、アラーム音を収音すると、アラーム音を復号して時刻設定情報を取得する。この時刻設定情報とは、アラーム時刻を設定するために用いられる。アラーム時計は、取得した時刻設定情報に基づいて、アラーム時刻を設定するとともに、アラーム時刻になると、取得した時刻設定情報に基づいて新たに生成した時刻設定情報をアラーム音に重畳して放音する。これにより、１台のアラーム時計にアラーム時刻を設定するだけで、他のアラーム時計のアラーム時刻を設定することができる。
【０００９】
この発明のアラーム時計の前記時刻設定情報は、時刻を設定するための基準となる基準時刻を含み、前記設定手段は、前記取得手段が取得した時刻設定情報に含まれる基準時刻に基づいて、時刻を設定することを特徴とする。
【００１０】
この構成では、アラーム時計が取得した時刻設定情報は、基準時刻を含んでいる。この基準時刻とは、アラーム時計が計時する時刻を設定するために用いられる。アラーム時計は、時刻設定情報に含まれる基準時刻に基づいて、時刻を設定する。これにより、１台のアラーム時計に時刻を設定するだけで、他のアラーム時計の時刻を設定することができる。
【００１１】
この発明のアラーム時計の前記収音手段が収音したアラーム音が自装置宛てのアラーム音であるかを判断する判断手段を、更に備え、前記設定手段は、前記判断手段が自装置宛てのアラーム音であると判断すると、アラーム時刻を設定することを特徴とする。
【００１２】
この構成では、アラーム時計は、アラーム音を収音すると自装置宛てのアラーム音か判断して、自装置宛てのアラーム音に基づいて、アラーム時刻を設定する。これにより、アラーム時計は、指定したアラーム時計のみから放音させることができる。この結果、複数台のアラーム装置から順にアラーム音を放音させることができるので、スヌーズ機能を実現することができる。
【００１３】
この発明のアラーム時計は、ユーザの操作入力を受け付ける入力手段を、更に設け、前記生成手段は、前記入力手段が入力を受け付けた操作入力に応じた情報を含めて時刻設定情報を生成することを特徴とする。
【００１４】
この構成では、アラーム時計は、ユーザの操作入力を受け付け、ユーザの操作入力に応じた情報を含めて時刻設定情報を設定する。これにより、ユーザが、アラーム時計のアラーム時刻を手動で設定することができる。
【００１５】
この発明のアラーム時計連動システムは、マスタのアラーム時計と、上述のアラーム時計と、を備えたアラーム時計連動システムであって、前記マスタのアラーム時計は、ユーザの操作入力を受け付けるマスタ側入力手段と、前記マスタ側入力手段が入力を受け付けた操作入力に応じた情報に基づいて、時刻設定情報を生成するマスタ側生成手段と、前記マスタ側生成手段が生成した時刻設定情報をアラーム音に重畳して放音するマスタ側放音手段と、を備えたことを特徴とする。
【００１６】
この構成では、アラーム時計連動システムは、マスタのアラーム時計と請求項１〜請求項４に記載のアラーム時計から構成される。マスタのアラーム時計は、ユーザの操作入力を受け付け、ユーザの操作入力に応じた情報に基づいて、時刻設定情報を生成する。マスタのアラーム時計は、生成した時刻設定情報をアラーム音に重畳して放音する。これにより、アラーム時計連動システムは、マスタのアラーム時計にアラーム時刻を設定するだけで、請求項１〜請求項４に記載のアラーム時計からアラーム音を放音することができる。
【発明の効果】
【００１７】
この発明によれば、１台のアラーム時計にアラーム時刻を設定するだけで、他のアラーム時計のアラーム時刻を設定することができる。
【発明を実施するための最良の形態】
【００１８】
「第１実施形態」
本発明の第１実施形態に係るアラーム時計１Ａ〜１Ｄ、及びアラーム時計連動システム１００について、図１を参照して説明する。図１は、アラーム時計、及びアラーム時計連動システムの説明図である。
【００１９】
図１に示すように、アラーム時計連動システム１００は、複数のアラーム時計１Ａ〜１Ｄから構成される。アラーム時計１Ａは、アラーム時計１Ｂ，１Ｃのマスタのみとして機能する。アラーム時計１Ｂは、アラーム時計１Ａのスレーブとして機能し、アラーム時計１Ｄのマスタとして機能する。アラーム時計１Ｃは、アラーム時計１Ａのスレーブのみとして機能し、アラーム時計１Ｄは、アラーム時計１Ｂのスレーブのみとして機能する。なお、台数は４台に限らず、マスタ、スレーブ関係も適宜設定すればよい。
【００２０】
次に、アラーム時計１Ａ〜１Ｄの機能・構成について、図２，３を参照して説明する。図２は、マスタのみとして機能するアラーム時計の機能・構成を示すブロック図である。図３は、スレーブとして機能するアラーム時計の機能・構成を示すブロック図である。なお、各アラーム時計１Ａ〜１Ｄは、それぞれ異なる音声信号のアラーム音を放音するものとする。
【００２１】
まず、図２を参照して、マスタのみとして機能するアラーム時計１Ａについて説明する。図２に示すように、アラーム時計１Ａは、操作部１０、一時記憶部２、記憶部３、制御部１３、計時部１４、変調部１５、及びスピーカＳＰを備える。
【００２２】
操作部１０は、ユーザの操作入力を受け付け、操作入力に応じた操作信号を制御部１３へ出力する。例えば、時刻の設定、アラーム時刻の設定、アラーム設定のオン／オフ等である。
【００２３】
一時記憶部２は、アラーム時刻とアラーム設定情報とを記憶している。アラーム時刻とアラーム設定情報とは、制御部１３により登録、更新される。アラーム時刻とは、アラーム音の放音を開始する時刻である。また、アラーム設定情報とは、スレーブのアラーム時計のアラーム時刻を通知するために用いられる情報であり、スレーブのアラーム時計におけるマスタのアラーム音の受信時刻とアラーム時刻との差分時間である。具体的に例えば、アラーム設定情報が３分の場合、スレーブのアラーム時計は、マスタのアラーム音を収音した時刻の３分後の時刻をアラーム時刻として設定する。
【００２４】
記憶部３は、自装置のアラーム音と符号化ＤＢとを記憶する。自装置のアラーム音とは、一時記憶部２に記憶されているアラーム時刻になると、放音される音声信号のことである。符号化ＤＢは、アラーム設定情報に対応する符号を記憶する。この符号は、アラーム設定情報を符号化するためのものである。
【００２５】
計時部１４は、現在時刻を計時する機能部であり、現在時刻を制御部１３へ出力する。また、現在時刻は、制御部１３により更新される。
【００２６】
制御部１３は、操作部１０からの操作信号に応じて、各機能部の制御を行う。制御部１３は、アラーム時刻やアラーム設定情報を示す操作信号が入力されると、これらを一時記憶部２へ記憶する。制御部１３は、計時部１４から入力された現在時刻が、一時記憶部２のアラーム時刻と一致すると、アラームの放音時間を計測するためのタイマを起動するとともに、一時記憶部２のアラーム設定情報に対応する符号を記憶部３の符号化ＤＢから取得して、記憶部３の自装置のアラーム音とともに、変調部１５へ出力する。制御部１３は、起動したタイマがタイムアップする（すなわち、タイマが起動してから所定時間経過する）と、符号とアラーム音とを変調部１５へ出力するのを止める。また、制御部１３は、アラーム設定がオフに設定されている間は、アラーム時刻が現在時刻に一致しても、符号とアラーム音とを変調部１５へ出力しない。
【００２７】
変調部１５は、制御部１３から自装置のアラーム音と符号とが入力されると、符号を自装置のアラーム音に変調して、スピーカＳＰから放音する。
【００２８】
次に、図３を参照して、スレーブとして機能するアラーム時計１Ｂ〜１Ｄ、について説明する。以下、アラーム時計１Ｂ〜１Ｄは同じ機能・構成であるため、アラーム時計１Ｂを例に挙げて説明する。アラーム時計１Ｂは、操作部１０、一時記憶部２、マイクＭＩＣ、アラーム音検出部１１、復号部１２、記憶部３、制御部１３、計時部１４、変調部１５、及びスピーカＳＰを備える。以下、アラーム時計１Ａと重複する機能については説明を省略する。
【００２９】
一時記憶部２は、アラーム時刻とアラーム設定情報とマスタのアラーム音とを記憶する。マスタのアラーム音とは、自装置のマスタとして設定されたアラーム時計のアラーム音のことである。マスタのアラーム音は、マスタのアラーム時計が放音するアラーム音をマイクＭＩＣにより収音することにより登録、更新される。なお、マスタのアラーム音の登録、更新方法は、マイクＭＩＣでの収音に限らず、複数のアラーム音が予め一時記憶部２に登録されており、自装置のマスタのアラーム時計と同じアラーム音をマスタのアラーム音としてユーザが選択して登録するようにしてもよい。
【００３０】
アラーム音検出部１１は、マイクＭＩＣにて収音した音声がマスタのアラーム音であるかを検出する機能部である。アラーム音検出部１１は、マイクＭＩＣにて収音した音声から収音信号を生成して、一時記憶部２に記憶したマスタのアラーム音の音声信号と生成した収音信号とが同一であるか調べる。同一であるか否かは、収音信号の波形とマスタのアラーム音の音声信号の波形とが類似するか否かにより判断される。アラーム音検出部１１は、収音信号がマスタのアラーム音の音声信号と同一であると判断すると、復号部１２へ収音信号を出力する。
【００３１】
復号部１２は、一時記憶部２に記憶したマスタのアラーム音に基づいて、アラーム音検出部１１から入力された収音信号を復号して、符号を取得する。復号部１２は、記憶部３の符号化ＤＢを参照して、取得した符号に対応するアラーム設定情報を取得して、制御部１３へ出力する。
【００３２】
スレーブのアラーム時計１Ｂの制御部１３は、マスタのアラーム時計１Ａの制御部１３が備える機能に加えて、次の機能を備える。制御部１３は、復号部１２から入力されたアラーム設定情報に基づいてアラーム時刻を算出し、アラーム設定情報とアラーム時刻とを一時記憶部２に記憶する。制御部１３は、計時部１４から入力された現在時刻が、一時記憶部２に記憶したアラーム時刻と一致すると、一時記憶部２に記憶したアラーム設定情報に対応する符号を記憶部３の符号化ＤＢから取得する。制御部１３は、取得した符号と記憶部３の自装置のアラーム音とを変調部１５へ出力する。
【００３３】
次に、マスタのアラーム時計１Ａから放音したアラーム音に基づいて、スレーブのアラーム時計１Ｂがアラーム音を放音する処理フローの詳細について、図４を参照して説明する。図４は、アラーム時計の連動処理の処理フローを示すフローチャートである。なお、スレーブのアラーム時計１Ｂにおいて、アラーム時刻やアラーム設定情報の入力を受け付ける処理に関する説明を省略する。
【００３４】
アラーム時計１Ａは、ユーザからアラーム時刻（例えば、７時）とアラーム設定情報（例えば、３分）との入力を受け付ける（Ｓ１０１：Ｙｅｓ）と、ステップＳ１０２以降の処理を行う。なお、アラーム時計１Ａは、アラーム時刻とアラーム設定情報とが入力されない場合は（Ｓ１０１：Ｎｏ）、ステップＳ１０３の処理へ進む。
【００３５】
アラーム時計１Ａは、アラーム時刻とアラーム設定情報とを一時記憶部２に記憶する（Ｓ１０２）。アラーム時計１Ａは、一時記憶部２に記憶したアラーム時刻が計時部１４から入力される現在時刻と一致すると（Ｓ１０３：Ｙｅｓ）、ステップＳ１０４以降の処理を行う。なお、アラーム時計１Ａは、アラーム時刻と現在時刻とが一致しない場合は（Ｓ１０３：Ｎｏ）、ステップＳ１０１の処理へ戻る。
【００３６】
アラーム時計１Ａは、アラーム設定がオンに設定されていると（Ｓ１０４：Ｙｅｓ）、アラームの放音時間を計測するためのタイマを起動するとともに（Ｓ１０５）、一時記憶部２に記憶したアラーム設定情報に対応する符号を符号化ＤＢから取得する（Ｓ１０６）。アラーム時計１Ａは、記憶部３から取得したアラーム音に符号を変調して、スピーカＳＰから放音する（Ｓ１０７）。また、アラーム設定がオフに設定されていると（Ｓ１０４：Ｎｏ）、アラーム音を放音せずに、ステップＳ１０１の処理へ戻る。
【００３７】
アラーム時計１Ａは、起動したタイマのタイムアウト（タイマの計測時間が所定のアラームの放音時間を超える）又はアラーム設定オフ操作の入力を受け付けると（Ｓ１０８：Ｙｅｓ）、アラーム音の放音を停止して、ステップＳ１０１の処理へ戻る。なお、アラーム時計１Ａは、起動したタイマのタイムアウト又はアラーム設定オフ操作の入力を受け付けるまで（Ｓ１０８：Ｎｏ）、アラーム音を放音し続ける（Ｓ１０７）。
【００３８】
アラーム時計１Ｂは、アラーム音を収音すると（Ｓ１２１：Ｙｅｓ）、収音したアラーム音から収音信号を生成して、収音信号が一時記憶部２に記憶するマスタのアラーム音と類似するか調べる（Ｓ１２２）。類似する場合は（Ｓ１２２：Ｙｅｓ）、ステップＳ１２３以降の処理を行い、類似しない場合は（Ｓ１２２：Ｎｏ）、ステップＳ１２１の処理へ戻る。また、アラーム時計１Ｂは、アラーム音を収音するまで（Ｓ１２１：Ｎｏ）、ステップＳ１２２以降の処理を行わずに、待機している。
【００３９】
アラーム時計１Ｂは、収音信号を復号して符号を取得し（Ｓ１２３）、取得した符号に対応するアラーム設定情報を符号化ＤＢから取得する（Ｓ１２４）。アラーム時計１Ｂは、アラーム設定情報と計時部１４から入力された現在時刻とに基づいて、アラーム時刻を算出する（Ｓ１２５）。例えば、アラーム時計１Ｂの現在時刻が７時で、取得したアラーム設定情報が３分の場合は、アラーム時刻は、現在時刻（７時）から３分（アラーム設定情報）経過した時間（7時３分）となる。
【００４０】
アラーム時計１Ｂは、アラーム設定情報と算出したアラーム時刻とを一時記憶部２へ記憶する（Ｓ１２６）。アラーム時計１Ｂは、一時記憶部２のアラーム時刻が計時部１４から入力される現在時刻と一致すると（Ｓ１２７：Ｙｅｓ）、ステップＳ１２８以降の処理を行う。なお、アラーム時計１Ｂは、アラーム時刻と現在時刻とが一致するまで（Ｓ１２７：Ｎｏ）、ステップＳ１２８以降の処理を行わずに、待機している。
【００４１】
アラーム時計１Ｂは、アラーム設定がオンに設定されていると（Ｓ１２８：Ｙｅｓ）、アラームの放音時間を計測するためのタイマを起動するとともに（Ｓ１２９）、一時記憶部２のアラーム設定情報に対応する符号を符号化ＤＢから取得する（Ｓ１３０）。アラーム時計１Ｂは、記憶部３から取得したアラーム音に符号を変調して、スピーカＳＰから放音する（Ｓ１３１）。アラーム設定がオフに設定されていると（Ｓ１２８：Ｎｏ）、アラーム音を放音せずに、ステップＳ１２１の処理へ戻る。
【００４２】
アラーム時計１Ｂは、起動したタイマのタイムアウト又はアラーム設定オフ操作の入力を受け付けると（Ｓ１３２：Ｙｅｓ）、アラーム音の放音を停止して、ステップＳ１２１の処理へ戻る。なお、アラーム時計１Ｂは、起動したタイマのタイムアウト又はアラーム設定オフ操作の入力を受け付けるまで（Ｓ１３２：Ｎｏ）、アラーム音を放音し続ける（Ｓ１３１）。
【００４３】
以上より、マスタのアラーム時計１Ａに自装置のアラーム時刻とアラーム設定情報とを入力するだけで、スレーブのアラーム時計１Ｂ〜１Ｄのアラーム時刻を容易に設定することができる。また、アラーム設定情報の時間間隔で、各アラーム時計１Ａ〜１Ｄからアラーム音を放音するので、スヌーズ機能を実現することができる。更に、アラーム音を放音する前に、アラーム時計のアラーム設定をオフに設定すると、アラーム設定情報を含むアラーム音を放音しないので、他のアラーム時計からアラーム音を放音しないようにすることができる。
【００４４】
「第２実施形態」
本発明の第２実施形態に係るアラーム時計、及びアラーム時計連動システムについて、図５を参照して説明する。図５は、第２実施形態に係るアラーム時計の連動処理の処理フローを示すフローチャートである。なお、第２実施形態では、収音したアラーム音に基づいて、計時部１４の時刻を設定する点が第１実施形態と異なる。また、記憶部３に記憶する符号化ＤＢは、アラーム設定情報と基準時刻とに対応する符号を記憶する。この基準時刻とは、各アラーム時計１Ａ〜１Ｄの計時部１４が計時する時刻を調整するために用いる時刻である。
【００４５】
以下、図５のステップＳ１０１〜Ｓ１０５，Ｓ１０７，Ｓ１０８，Ｓ１２１〜Ｓ１２３，Ｓ１２５〜Ｓ１２９，Ｓ１３１，Ｓ１３２の処理は、図４のステップＳ１０１〜Ｓ１０５，Ｓ１０７，Ｓ１０８，Ｓ１２１〜Ｓ１２３，Ｓ１２５〜Ｓ１２９，Ｓ１３１，Ｓ１３２の処理と同じなので、説明を省略する。また、スレーブのアラーム時計１Ｂにおいて、アラーム時刻やアラーム設定情報の入力を受け付ける処理に関する説明を省略する。
【００４６】
図５に示すように、ステップＳ１０１〜Ｓ１０４の処理の後、アラーム時計１Ａは、計時部１４の現在時刻（すなわち、アラーム時刻）を基準時刻として、アラーム設定情報と基準時刻とに対応する符号を符号化ＤＢから取得する（Ｓ２０１）。そして、アラーム時計１Ａは、ステップＳ１０６の処理を行う。
【００４７】
アラーム時計１Ｂは、ステップＳ１２１〜Ｓ１２３の処理の後、符号に対応するアラーム設定情報と基準時刻とを符号化ＤＢから取得する（Ｓ２２１）。アラーム時計１Ｂは、取得した基準時刻に基づいて、計時部１４の時刻を設定する（Ｓ２２２）。この結果、アラーム時計１Ｂは、自装置のマスタであるアラーム時計１Ａと時刻をそろえることができる。そして、アラーム時計１Ｂは、ステップＳ１２５〜Ｓ１２８の処理の後、計時部１４の現在時刻（すなわち、アラーム時刻）を基準時刻として、アラーム設定情報と基準時刻とに対応する符号を符号化ＤＢから取得して（Ｓ２２３）、ステップＳ１３０の処理を行う。
【００４８】
以上より、マスタのアラーム時計にアラーム時刻とアラーム設定情報とが入力されると、各アラーム時計１Ａ〜１Ｄのアラーム時刻を設定するとともに、各アラーム時計１Ａ〜１Ｄの計時部１４の時刻をマスタのアラーム時計の時刻に統一することができる。なお、スレーブのアラーム時計で、電池の残量が少なくなる等の要因により、計時部１４の時刻がずれてしまう場合がある。このような場合には、マスタのアラーム時計にアラーム設定情報を０分として入力すると、スレーブのアラーム時計がアラーム音を収音すると、時刻を設定するとともに、アラーム音を放音するので、スレーブのアラーム時計で生じている時刻のずれの影響を受けない。これにより、アラーム時計１Ａ〜１Ｄの計時部１４の時刻を確実に統一することができる。
【００４９】
なお、第２実施形態では、アラーム設定情報と基準時刻と用いてアラーム音を変調した。しかし、基準時刻のみを用いてアラーム音を変調してもよい。この場合、マスタのアラーム時計１Ａは、アラーム時刻（７時）が入力されると、アラーム時刻を基準時刻（７時）として、基準時刻を用いて変調したアラーム音を放音する。アラーム時計１Ｂは、収音信号から基準時刻を取得して、計時部１４の時刻を基準時刻（７時）に設定するとともに、アラーム音を放音する。これにより、各アラーム時計は、自装置のマスタとなるアラーム時計のアラーム音を収音すると、それぞれの計時部１４の時刻を設定するとともに、自装置のスレーブとなるアラーム時計の時刻を設定するために、アラーム音を放音する。このため、マスタのアラーム時計１Ａは、各アラーム時計１Ｂ〜１Ｄの計時部１４の時刻を設定することができる。
【００５０】
なお、上述の実施形態では、マスタのみとして機能するアラーム時計１Ａは、スレーブとして機能するアラーム時計１Ｂ〜１Ｄと異なる構成を備えたが、アラーム時計１Ｂ〜１Ｄと同じ構成を備えてもよい。例えば、マスタのアラーム時計１Ａをアラーム時計１Ｄのスレーブに設定すると、アラーム時計１Ｄのアラーム音に基づいて、アラーム時計１Ａのアラーム時刻が設定されるので、アラーム時計１Ａ，１Ｂ，１Ｄにてループが形成される。このため、アラーム時計１Ａ，１Ｂ，１Ｄの個数以上のスヌーズ機能を実現することができる。
【００５１】
また、アラーム時計１Ａ，１Ｂにアラーム時刻とアラーム設定情報とを入力する。これにより、アラーム時計１Ａに入力したアラーム時刻とアラーム設定情報とに基づいて、アラーム時計１Ａ〜１Ｄがアラーム音を放音するとともに、アラーム時計１Ｂに入力したアラーム時刻とアラーム設定情報とに基づいて、アラーム時計１Ｂ，１Ｄがアラーム音を放音することができる。すなわち、アラーム時計１Ａとアラーム時計１Ｂとをマスタとして、それぞれ異なる時間にアラーム音を放音することができる。
【００５２】
また、上述の実施形態では、一時記憶部に自装置のマスタとなるアラーム時計のアラーム音を登録したが、全アラーム時計１Ａ〜１Ｄのアラーム音を登録してもよい。また、上述の実施形態では、各アラーム時計１Ａ〜１Ｄのアラーム音が異なるとしたが、各アラーム時計１Ａ〜１Ｄのアラーム音を同じにしてもよい。この場合、アラーム設定情報とアラーム時計の装置識別ＩＤとに基づいて、アラーム音を変調するための符号を生成する。そして、スレーブのアラーム時計は、装置識別ＩＤを用いて自装置宛てのアラーム音であるかを判断する。例えば、各アラーム時計は、自装置のマスタとなるアラーム時計の装置識別ＩＤを記憶する。マスタのアラーム時計は、自装置の装置識別ＩＤとアラーム設定情報とに基づいて、アラーム音を変調して放音する。スレーブのアラーム時計は、収音したアラーム音を復号して、装置識別ＩＤとアラーム設定情報を取得し、装置識別ＩＤが自装置のマスタとなるアラーム時計の装置識別ＩＤと一致する場合のみ、アラーム時刻を設定する。
【００５３】
また、各アラーム時計は、自装置のスレーブとなるアラーム時計の装置識別ＩＤとを記憶する。マスタのアラーム時計は、スレーブのアラーム時計の装置識別ＩＤとアラーム設定情報とに基づいて、アラーム音を変調して放音する。スレーブのアラーム時計は、収音したアラーム音を復号して、装置識別ＩＤとアラーム設定情報を取得し、装置識別ＩＤが自装置の装置識別ＩＤと一致する場合のみ、アラーム時刻を設定する。
【００５４】
更に、上述の実施形態では、各アラーム時計１Ａ〜１Ｄは、自装置のアラーム設定がオフの場合にアラーム音を放音しなかった。しかし、スレーブのアラーム時計１Ｂ〜１Ｄのアラーム設定を無視してもよい。この場合、スレーブのアラーム時計は、図４、図５のステップＳ１２８の処理を行わない。これにより、ユーザがスレーブのアラーム時計のアラーム設定を誤ってオフしてしまった場合であっても、スレーブのアラーム時計１Ｂ〜１Ｄは、マスタのアラーム時計のアラーム設定がオンされている場合は、スレーブのアラーム時計からアラーム音を放音することができる。
【００５５】
加えて、上述の実施形態では、アラーム設定情報として、スレーブのアラーム時計におけるマスタのアラーム音の受信時刻とアラーム時刻との差分時間を用いた。しかし、アラーム設定情報は、スレーブのアラーム時計のアラーム時刻を直接示す情報（例えば、７時５分）であってもよい。
【００５６】
また、上述の実施形態では、アラーム音にアラーム設定情報や基準時刻を重畳することで、スレーブのアラーム時計のアラーム時刻や時刻を設定した。しかし、アラーム音のリズムに基づいて、スレーブのアラーム時計のアラーム時刻や時刻を設定してもよい。これにより、ベルを叩いてアラーム音を放音するアラーム時計であっても、アラーム時刻や時刻を設定することができる。
【００５７】
更に、上述の実施形態に加えて、マスタのアラーム時計１Ａが、各アラーム時計１Ａ〜１Ｄのアラーム設定をオフする機能を有してもよい。この場合、マスタのアラーム時計１Ａが、アラーム設定をオフする信号をアラーム音に重畳して放音することで、スレーブのアラーム時計１Ｂ〜１Ｄのアラーム設定をオフする。これにより、マスタのアラーム時計のアラーム時刻が過ぎ、次にアラーム音を放音するアラーム時計がわからない場合であっても、アラーム音の放音を停止することができる。
【図面の簡単な説明】
【００５８】
【図１】アラーム時計、及びアラーム時計連動システムの説明図である。
【図２】マスタのみとして機能するアラーム時計の機能・構成を示すブロック図である。
【図３】スレーブとして機能するアラーム時計の機能・構成を示すブロック図である。
【図４】アラーム時計の連動処理の処理フローを示すフローチャートである。
【図５】第２実施形態に係るアラーム時計の連動処理の処理フローを示すフローチャートである。
【符号の説明】
【００５９】
１Ａ〜１Ｄ…アラーム時計，２…一時記憶部，３…記憶部，１０…操作部，１１…アラーム音検出部，１２…復号部，１３…制御部，１４…計時部，１５…変調部，１００…アラーム時計連動システム，ＭＩＣ…マイク
【図１】
2009288126.tif 000003
【図２】
2009288126.tif 000004
【図３】
2009288126.tif 000005
【図４】
2009288126.tif 000006
【図５】
2009288126.tif 000007